(57)【要約】      （修正有）【課題】メガネケースにメガネスタンドの機能を持たせてメガネケースとメガネスタンドのどちらにも使用可能なケース兼用スタンドとし、メガネスタンドとして使用する場合にメガネがケースの外にはみ出ないようにしたメガネケースを提供する。【解決手段】メガネケースの外側一側面に４本の支持突起4をメガネケースと一体に形成すると共にこれら支持突起４を前後左右に配置し、これら支持突起の間につるを畳んだ状態で置いたメガネを支持突起４により、メガネＭのつるがケースの外側に突き出ないようにする。【選択図】図２
0003177730.tif 000002
【実用新案登録請求の範囲】
【請求項１】
メガネケースの外側一側面に４本の支持突起をメガネケースと一体に形成すると共にこれら支持突起を前後左右に配置し、これら支持突起の間につるを畳んだ状態で置いたメガネを支持突起によりメガネケースの外側に支持するようにしてなるメガネスタンド兼用メガネケース。
【請求項２】
前記支持突起の形状が先細状であることを特徴とする請求項１記載のメガネスタンド兼用メガネケース。
【請求項３】
前記支持突起が弾力に富む柔軟な材質で形成されていることを特徴とする請求項１記載のメガネスタンド兼用メガネケース。
【請求項４】
前記支持突起が、外側が布地でその内側にクッション材が詰まった構造であることを特徴とする請求項１記載のメガネスタンド兼用メガネケース。
【請求項５】
前記メガネケースの外側全体を布地で被覆すると共に、この布地に前記支持突起の外側の布地を接着することによりメガネケースと支持突起が一体に形成されていることを特徴とする請求項４記載のメガネスタンド兼用メガネケース。
【考案の詳細な説明】
【技術分野】
【０００１】
これはメガネスタンドを兼ねたメガネケースの考案である。
【背景技術】
【０００２】
メガネを収容するメガネケースとメガネを立てかけるメガネスタンドは、元来別々の物品である。メガネケースは主としてメガネをカバンなどに入れて持ち運ぶときに使用し、メガネスタンドはメガネをデスクなどの上に一時的に保管するのに使用する。
【０００３】
これら二つの別々の物品を一つの物品にまとめたものを本件出願人は既に出願している。実用新案登録第3164099号がそれで、メガネスタンドのときは、メガネケースの外側中央の突出部後方でメガネの左右のつるを交差してメガネを突出部に支持させる。これによるとメガネを簡単にメガネケースの外側に支持できる半面、交差したつるの先端がメガネケースの外に突き出して場所を取ることが分かった。突出部が大きく分厚い場合は、ますます、つるの先端が外に突き出して邪魔になる。
【先行技術文献】
【特許文献】
【０００４】
【特許文献１】実用新案登録第3164099号公報
【考案の概要】
【考案が解決しようとする課題】
【０００５】
このことに鑑みこの考案では、メガネスタンドとして使用するときメガネがメガネケースの外にはみ出さないようにして、場所を取らず、また簡単で確実にメガネをメガネケースに載置することを目的とする。
【課題を解決するための手段】
【０００６】
この目的達成のためこの考案は次の構成になっている。
請求項１の考案では、メガネケースの外側一側面に４本の支持突起をメガネケースと一体に形成すると共にこれら支持突起を前後左右に配置し、これら支持突起の間につるを畳んだ状態で置いたメガネを支持突起によりメガネケースの外側に支持するという構成である。
請求項２の考案では、請求項１の支持突起の形状を先細状とした構成である。
請求項３の考案では、請求項１の支持突起が弾力に富む柔軟な材質で形成されている構成である。
請求項４の考案では、請求項１の支持突起が、外側が布地でその内側にクッション材が詰まった構成である。
請求項５の考案では、請求項４のメガネケースの外側全体を布地で被覆すると共に、この布地に前記支持突起の外側の布地を接着することによりメガネケースと支持突起が一体に形成した構成である。
【考案の効果】
【０００７】
このように請求項１の考案によれば、メガネケースにメガネを収容できるだけでなく、掛けたメガネを外して支持突起の間に差し込むことにより、めがねスタンドとしても利用できる。またつるは畳んだ状態で置けるので、つるの先端が支持突起の囲む領域の内側に収まり、メガネケースより外に突き出して場所を取るようなことがない。
また請求項２の支持突起の考案によれば、支持突起が先細状の形状だから支持突起の先端の間隔が広く、支持突起の間にメガネを差し込み易い。また支持突起の基部は太いから基部同士の間隔が狭く、このため差し込んだメガネが支持突起に前後左右で挟まれ安定して置ける。
また請求項３の考案によれば、支持突起が弾力に富む柔軟な材質で形成されているので、メガネのレンズに傷が付く心配がないし、請求項４の考案によれば、支持突起の外側が布地で内側がクッション材で出来ているので、メガネを置くたびにレンズが支持突起で拭かれて汚れが取れる。
さらに請求項５の考案によれば、メガネケースの外側の布地に支持突起の外側の布地を接着するので、メガネケースと支持突起を確実容易に一体化でき、また支持突起を含め外側全体を布地で被覆するので、手触りがよく布地の色彩や模様によりファッション性豊かな外観を呈することが出来る。
【図面の簡単な説明】
【０００８】
【図１】この考案の斜視図である。
【図２】図１の説明図でメガネスタンドとして使用状態を示す。
【図３】図１の説明図でメガネケースとしての使用状態を示す。
【図４】図１の横断面図である。
【図５】サック型のメガネケースの実施例図である。
【図６】図５の縦断面図である。
【図７】キャップ型のメガネケースの実施例図である。
【図８】この考案の平面図で外観形状が違う例を示す。
【図９】この考案の平面図で外観形状が違う例を示す。
【図１０】この考案の平面図で外観形状が違う例を示す。
【図１１】この考案の平面図で外観形状が違う例を示す。
【図１２】この考案の平面図で外観形状が違う例を示す。
【考案を実施するための形態】
【０００９】
次にこの考案の実施態様を図面に基づいて説明する。
図１〜４の実施形態は、身と蓋がヒンジで連結したヒンジ型のメガネケースで、１は身を２は蓋を示す。これらは、いずれもプラスチックかアルミの薄い板を凹曲面の形状に成形したものである。３はヒンジで、身１と蓋２を開閉自在に連結する。
４は支持突起で蓋２の外側の前後左右に４本取り付ける。これらの支持突起４は先端に近いほど細い先細状に形成する。支持突起４はその外側を布地５とし、内側に綿やスポンジなどのクッション材６を詰め込んで形成する。布地５を省略して全体をゴムで成形してもよい。
身１及び蓋２はその外側全体を布地７で被覆し、この布地７に支持突起４の外側の布地５を接着すると、支持突起４と蓋２があたかも連続しているような外観を呈するので好ましい。布地５、７はタオル地や起毛した布を使用すると手触りがよく好適である。
蓋２の布地７には熊のキャラクタの顔を刺繍やプリントなどで描き、さらに耳や尻尾を模した布製の突片８を周縁に縫い付けると、支持突起４が熊の足に見立てることができ、看る者に親しみや安らぎ感を与える効果がある。
【００１０】
図３のように、メガネＭをケース内に収容するほか、図２のように、メガネＭのつるを折り畳んで支持突起４の間に差し込むことにより、めがねスタンドとして利用できる。このときつるは畳んだ状態だから、先端が支持突起４の囲む領域すなわち蓋２の内側に収まる。
【００１１】
図５、６の実施形態は、サック型のメガネケースで、上下２枚の皮革か厚手の布を周縁で縫着乃至接着した構造になっている。そのうち上板１０の外側に４本の支持突起４を一体的に取り付け、下板１１に熊のキャラクタの顔を描く。１２は耳や尻尾に相当する突片である。熊の鼻や口の部分はゴム１３を貼り付けるなどして下板１１から隆起させると立体感が出て好ましい。
【００１２】
図７の実施形態は、キャップ型のメガネケースで、本体容器２０の開口をキャップ２１で閉じる構造になっている。４本の支持突起４は本体容器２０の外側一側面に取り付ける。取り付け方は図１〜４の実施形態と同じである。キャップ２１には熊のキャラクタの顔を描き、またキャップ２１や本体容器２０に耳や尻尾に相当する突片２２を取り付ける。
【００１３】
図１〜７は熊のキャラクタであるが、図８は猫、図９はカエル、図１０はウサギ、図１１はヒツジ、図１２はブタのキャラクタの例である。このように様々な動物のキャラクタを揃えることにより顧客の購買意欲を掻き立てる効果が期待できる。図８〜図１２において、支持突起４はそれぞれのキャラクタの足に相当する。
【符号の説明】
【００１４】
１  身
２  蓋
３  ヒンジ
４  支持突起
５，７  布地
６  クッション材
８、１２、２２  突片
２０  本体容器
２１  キャップ
Ｍ  メガネ
【図１】
0003177730.tif 000003
【図２】
0003177730.tif 000004
【図３】
0003177730.tif 000005
【図４】
0003177730.tif 000006
【図５】
0003177730.tif 000007
【図６】
0003177730.tif 000008
【図７】
0003177730.tif 000009
【図８】
0003177730.tif 000010
【図９】
0003177730.tif 000011
【図１０】
0003177730.tif 000012
【図１１】
0003177730.tif 000013
【図１２】
0003177730.tif 000014